(57)【要約】【課題】緑化対象面における蟻散布種子の発芽率の向上と枯損率の低下とを広範囲にわたって低コストで実現することのできる蟻散布種子利用の緑化工法及びこの工法に用いるワッシャを提供すること。【解決手段】緑化対象面に敷設され蟻散布種子１をネット状またはシート状の保持部材２，３によって覆って保持する状態の植生体４の上から、ワッシャ５を抜け止め状態で貫く止め釘６を打ち込み、ワッシャ５によって保持部材２，３を押圧し植生体４を緑化対象面上に定着させる蟻散布種子利用の緑化工法であって、ワッシャ５は、止め釘６が差し込まれる止め釘用孔７の縁を形成する孔縁部位８と、孔縁部位８に連なり保持部材２，３を押圧する押圧部位９とを有し、押圧部位９は、植物生育用のスペース１０を囲む若しくは任意の方向から挟むか、またはスペース１０に対して孔縁部位８の周方向に隣接するように構成されている。【選択図】図１
2013085537.tif 000002
【特許請求の範囲】
【請求項１】
緑化対象面に敷設され蟻散布種子をネット状またはシート状の保持部材によって覆って保持する状態の植生体の上から、ワッシャを抜け止め状態で貫く止め釘を打ち込み、前記ワッシャによって前記保持部材を押圧し前記植生体を緑化対象面上に定着させる蟻散布種子利用の緑化工法であって、
前記ワッシャは、前記止め釘が差し込まれる止め釘用孔の縁を形成する孔縁部位と、該孔縁部位に連なり前記保持部材を押圧する押圧部位とを有し、該押圧部位は、植物生育用のスペースを囲む若しくは任意の方向から挟むか、または前記スペースに対して前記孔縁部位の周方向に隣接するように構成されていることを特徴とする蟻散布種子利用の緑化工法。
【請求項２】
前記ワッシャは、格子状、蜘蛛の巣状、ホイール状、ハニカム状、パンチングメタル状等の複数の穴を有する部材であり、前記複数の穴は前記スペースとなり、かつ、前記複数の穴の一部または全部は止め釘用孔としても使用可能となるように構成されている請求項１に記載の蟻散布種子利用の緑化工法。
【請求項３】
前記ワッシャは、互いの向きを異ならせて重ねられる複数の長板状体からなり、各々の長板状体において他の長板状体と重なる部分に前記孔縁部位が形成されている請求項１に記載の蟻散布種子利用の緑化工法。
【請求項４】
前記ワッシャの前記押圧部位は、放射状、渦巻状または分枝状に形成されている請求項１に記載の蟻散布種子利用の緑化工法。
【請求項５】
片面に少なくとも蟻散布種子が装着された前記ワッシャを、該片面が緑化対象面側を向くように配置する請求項１〜４の何れか一項に記載の蟻散布種子利用の緑化工法。
【請求項６】
請求項１〜５の何れか一項に記載の蟻散布種子利用の緑化工法に用いられるワッシャ。
【発明の詳細な説明】
【技術分野】
【０００１】
この発明は、例えば、蟻散布種子を保持した張芝体や植生マットを緑化対象面に定着させて行う蟻散布種子利用の緑化工法及びこの工法に用いるワッシャに関する。
【背景技術】
【０００２】
蟻散布種子（蟻散布植物の種子）にはエライオソームと呼ばれる蟻を誘引する物質を含んだ付属体（オレイン酸等の脂肪酸、グルタミン酸等のアミノ酸、ショ糖等の糖を含んだ物質）が付いていて、蟻はそれに惹かれて種子を巣に運ぶ。巣内ではエライオソームの部分のみが貯蔵され、種子本体は土と共に巣外へ放り出されたり巣内のゴミ捨て場に捨てられたりする。一般的に蟻の巣は栄養が豊富な場所に存在するため、蟻散布種子は蟻によって運ばれた先でしっかりと根付くことになる。
【先行技術文献】
【特許文献】
【０００３】
【特許文献１】特開平７−１５８０７１号公報
【発明の概要】
【発明が解決しようとする課題】
【０００４】
しかし、蟻散布植物の一種であるムカデシバの種子を例えば特許文献１に示すような緑化工法（植生シート工）に用いると、その種子の殆どが蟻によって緑化対象面外に持ち去られるケースや、一部の種子が残っても雑草の被圧により枯損するケースが見受けられ、何れのケースでも目的とする緑化が達成されない。蟻対策として、予め緑化対象面に生息する蟻を撲滅し、さらに忌避剤を使用しても、緑化対象面への蟻の侵入を完全に防ぐことは困難でありコストもかかる。同じく雑草対策についても有効な手段は確立されていない。尚、ムカデシバの種子に限らず、他の蟻散布種子を緑化工法に用いた場合でも同様の問題が生じると考えられる。
【０００５】
本発明は上述の事柄に留意してなされたもので、その目的は、緑化対象面における蟻散布種子の発芽率の向上と枯損率の低下とを広範囲にわたって低コストで実現することのできる蟻散布種子利用の緑化工法及びこの工法に用いるワッシャを提供することにある。
【課題を解決するための手段】
【０００６】
上記目的を達成するために、本発明に係る蟻散布種子利用の緑化工法は、緑化対象面に敷設され蟻散布種子をネット状またはシート状の保持部材によって覆って保持する状態の植生体の上から、ワッシャを抜け止め状態で貫く止め釘を打ち込み、前記ワッシャによって前記保持部材を押圧し前記植生体を緑化対象面上に定着させる蟻散布種子利用の緑化工法であって、
前記ワッシャは、前記止め釘が差し込まれる止め釘用孔の縁を形成する孔縁部位と、該孔縁部位に連なり前記保持部材を押圧する押圧部位とを有し、該押圧部位は、植物生育用のスペースを囲む若しくは任意の方向から挟むか、または前記スペースに対して前記孔縁部位の周方向に隣接するように構成されている（請求項１）。
【０００７】
上記緑化工法において、前記ワッシャは、格子状、蜘蛛の巣状、ホイール状、ハニカム状、パンチングメタル状等の複数の穴を有する部材であり、前記複数の穴は前記スペースとなり、かつ、前記複数の穴の一部または全部は止め釘用孔としても使用可能となるように構成されていてもよい（請求項２）。
【０００８】
上記蟻散布種子利用の緑化工法において、前記ワッシャは、互いの向きを異ならせて重ねられる複数の長板状体からなり、各々の長板状体において他の長板状体と重なる部分に前記孔縁部位が形成されていてもよい（請求項３）。
【０００９】
上記蟻散布種子利用の緑化工法において、前記ワッシャの前記押圧部位は、放射状、渦巻状または分枝状に形成されていてもよい（請求項４）。
【００１０】
上記蟻散布種子利用の緑化工法において、片面に少なくとも蟻散布種子が装着された前記ワッシャを、該片面が緑化対象面側を向くように配置してもよい（請求項５）。
【００１１】
一方、上記目的を達成するために、本発明に係るワッシャは、請求項１〜５の何れか一項に記載の蟻散布種子利用の緑化工法に用いられるものである（請求項６）。
【発明の効果】
【００１２】
各請求項に係る発明では、緑化対象面における蟻散布種子の発芽率の向上と枯損率の低下とを広範囲にわたって低コストで実現することのできる蟻散布種子利用の緑化工法及びこの工法に用いるワッシャが得られる。
【００１３】
すなわち、本発明の緑化工法では、保持部材においてワッシャ（の押圧部位）によって直接的または間接的に押圧される部分の面積の拡大を容易に図ることができる上、その拡大を植物生育用のスペースを確保しつつ行えるので、蟻による種子の持ち去り防止と雑草の生長抑制とに由来して蟻散布種子の発芽率が上昇するエリアの拡大を図ることができる。
【００１４】
さらに、本発明の緑化工法で用いるワッシャの内外の縁（輪郭線）に沿う部分では蟻散布種子の生長に重要な水分状態が良好になり（保水性が向上し）、草丈が低めで他の雑草に被圧され易い（枯損率の高い）ムカデシバのような蟻散布植物であってもその種子の生育スピードや匍匐茎の伸長スピードが上がり健全に生育して被圧され難くなる。すなわち、本緑化工法では、蟻散布種子の発芽率が上昇するだけでなく枯損率が低下するエリアの拡大を図れるのであり、これは緑化の確実化に繋がる。しかも、その鍵となるのは安価なワッシャであり、必ずしもワッシャの数を増やす必要もないので、蟻散布種子を用いた緑化を低コストで実現することができる。
【００１５】
特に、請求項５に係る発明の緑化工法では、蟻散布種子が保持部材を介して地面に密着することとなり、蟻による蟻散布種子の持ち去りを防ぎながら蟻散布植物を健全に生育させることが可能となる。
【図面の簡単な説明】
【００１６】
【図１】（Ａ）及び（Ｂ）は、本発明の一実施の形態に係る緑化工法で用いる植生体の構成を概略的に示す斜視図及び断面図である。
【図２】同緑化工法に使用されるワッシャの斜視図である。
【図３】前記ワッシャの変形例を示す斜視図である。
【図４】蜘蛛の巣状のワッシャの平面図である。
【図５】ホイール状のワッシャの平面図である。
【図６】二枚の長板状体からなるワッシャの斜視図である。
【図７】放射状の押圧部位を有するワッシャの平面図である。
【図８】（Ａ）及び（Ｂ）は、渦巻状の押圧部位を有するワッシャの平面図及び断面図である。
【図９】従来のワッシャの平面図である。
【発明を実施するための形態】
【００１７】
本発明の実施の形態について図面を参照しながら以下に説明する。
【００１８】
図１及び図２に示すように、本発明の一実施の形態に係る蟻散布種子利用の緑化工法では、緑化対象面（例えば法面）に敷設され蟻散布種子（例えばムカデシバの種子）１をネット２及びシート３（それぞれネット状またはシート状の保持部材の一例）によって覆って保持する状態の植生体（本例では張芝体）４の上から、ワッシャ５を抜け止め状態で貫く止め釘６を打ち込み、ワッシャ５によってネット２及びシート３を押圧し植生体４を緑化対象面上に定着させる。
【００１９】
植生体４は、ネット２の裏面に水溶性糊剤（例えばポリビニルアルコール）でシート３を一体化させ、そのシート３の裏面に水溶性糊剤を用いて蟻散布種子１の他、肥料、有機客土植生基材等（図示していない）を分散・被着させたものである。
【００２０】
ここで、ネット２の構成素材には、例えば、腐食性素材（綿、絹、麻、ジュート等の植物性繊維、ビスコースレーヨン等の再生繊維など）、耐食性素材（ポリエチレンやポリプロピレン等の合成繊維、強力レーヨン、防腐処理を施した腐食性素材など）、腐食性の繊維と耐食性の繊維とからなる混紡繊維を使用することができる。
【００２１】
また、シート３の構成素材としては、例えば、種子１の発芽・生育を妨げないスフ綿、スフ系不織布、パルプ系不織布、可溶性紙などを挙げることができる。
【００２２】
ワッシャ５は、止め釘６が差し込まれる止め釘用孔７の縁を形成する孔縁部位８と、孔縁部位８に連なりネット２及びシート３を押圧する押圧部位９とを有し、押圧部位９は、植物生育用のスペース１０を囲むように構成されている（図２参照）。そして、ワッシャ５の止め釘用孔７を貫くように止め釘６を緑化対象面に打ち込むと、ワッシャ５は止め釘６の頭部６ａに抜け止め状態に被嵌掛止されることになる。尚、ワッシャ５は、硬すぎるよりもある程度の柔軟性を有している方が法面等の緑化対象面に沿い（密着し）易いので、プラスチック製であるのが好ましいが金属製であってもよい。
【００２３】
本例のワッシャ５は、図２に示すように、複数の穴１１を有する格子状の部材であり、中央の穴１１は止め釘用孔７になり、それ以外の穴１１は植物生育用のスペース１０になる。但し、本例のワッシャ５の各穴１１は、止め釘用孔７としてもスペース１０としても使用可能なものである。
【００２４】
本緑化工法の技術的意義を適正に評価するに当たっては、以下の事実を把握しておくことが役立つ。すなわち、従来周知の円形のつば状に形成されたワッシャ１３（図９参照）を用いて固定される張芝体（例えば特許文献１参照）にムカデシバの種子（蟻散布種子の一種）を保持させた場合でも、そのワッシャ１３の周縁付近に限り発芽率が高まることを本発明者は確認している。これは、ワッシャ１３による張芝体の押圧が、蟻による種子の持ち去り防止や雑草の生長抑制に寄与するためであると考えられる。しかし、そうであるからといってワッシャ１３の数を増やすことは不経済であり、また、ワッシャ１３による押圧自体は雑草のみならず種子１の発芽をも抑制する働きをするので、単にワッシャ１３を円形のつば状のまま大きくするだけでは、このワッシャ１３に覆われ植物の発芽生育が不能となる範囲（主として、ワッシャ１３に覆われ、ワッシャ１３の外周１３ａまでの距離ｄが５ｍｍ超となる範囲）Ａ１が広がってしまい、広範囲にわたる発芽率の向上は殆ど期待できず、所期の目的である緑化が不達成に終わり兼ねない。
【００２５】
この点、ワッシャ５を円形のつば状とはせず格子状とする本緑化工法では、ネット２及びシート３においてワッシャ５（の押圧部位９）によって直接的または間接的に押圧される部分の面積の拡大を容易に図ることができる上、その拡大を植物生育用のスペース１０を確保しつつ行えるので、蟻による種子１の持ち去り防止と雑草の生長抑制とに由来して種子１の発芽率が上昇するエリアの拡大を図ることができる。
【００２６】
さらに、本緑化工法で用いる格子状のワッシャ５の内外の縁（輪郭線）に沿う部分では種子１の生長に重要な水分状態が良好になり（保水性が向上し）、草丈が低めで他の雑草に被圧され易い（枯損率の高い）ムカデシバであってもその種子１の生育スピードや匍匐茎の伸長スピードが上がり健全に生育して被圧され難くなる。すなわち、本緑化工法では、種子１の発芽率が上昇するだけでなく枯損率が低下する蟻散布植物の保護エリアの拡大を図れるのであり、これは緑化の確実化に繋がる。しかも、その鍵となるのは安価なワッシャ５であり、必ずしもワッシャ５の数を増やす必要もないので、上記の効果を低コストで奏することができる。
【００２７】
ここで、ワッシャ５の大きさは、例えば５ｃｍ角〜１０ｃｍ角とすることができる。すなわち、ワッシャ５が小さすぎると前記保護エリアの拡大を図れないし、ワッシャ５をあまり大きくしても、ワッシャ５に対して止め釘６からの押圧力が届く範囲は限られているのでコスト面等で無駄が生じるだけとなる。
【００２８】
なお、本発明は、上記の実施の形態に何ら限定されず、本発明の要旨を逸脱しない範囲において種々に変形して実施し得ることは勿論である。例えば、以下のような変形例を挙げることができる。
【００２９】
植生体４は、図１（Ａ）及び（Ｂ）に示した張芝体に限らず、例えば、ネット２を持たない張芝体でもよく、肥料袋を装着するポケットを備えた植生マット等であってもよい。但し、緑化対象面に敷設された際に種子１を覆って保持するネット状またはシート状の保持部材を有していることが望ましい。
【００３０】
図１（Ａ）には、ワッシャ５をマトリックス状（行列状）に配置する例を示したが、これに限らず、例えば同図に二点鎖線で示すように、ワッシャ５を千鳥状に配置してもよい。
【００３１】
複数の止め釘６を一つのワッシャ５の異なる箇所（止め釘用孔７）に対して差し込むようにしてもよい。
【００３２】
図１（Ａ）、図２では、ワッシャ５を略正方形状（矩形状）の外縁を有するものとして表しているが、これに限らず、例えば、ワッシャ５は図３に示すように略円形状の外縁を有していてもよいし、他の多角形状、星型形状等の外縁を有していてもよい。
【００３３】
ワッシャ５は上に例示した形状以外にも種々に変形可能であり、その幾つかの典型的な変形例について図４〜図８を参照しながら以下に説明する。
【００３４】
植物生育用のスペース１０を囲む押圧部位９を有するワッシャ５としては、格子状以外に、蜘蛛の巣状（図４参照）、ホイール状（図５参照）、ハニカム状、パンチングメタル状等の複数の穴を有する穴あき板状の部材であって、複数の穴はスペース１０となり、かつ、複数の穴の一部または全部は止め釘用孔７としても使用可能となるように構成されているもの等を挙げることができる。
【００３５】
植物生育用のスペース１０を任意の方向から挟む押圧部位９を有するワッシャ５としては、互いの向きを異ならせて重ねられる複数（例えば２枚）の長板状体１２からなり、各々の長板状体１２において他の長板状体１２と重なる部分に孔縁部位８が形成されているもの（図６参照）の他、押圧部位９が、放射状に形成されたもの（図７参照）、渦巻状に形成されたもの（図８（Ａ）及び（Ｂ）参照）、分枝状に形成されたもの、スペース１０を構成する１以上の切欠き溝を有する板状のもの等を挙げることができる。尚、ワッシャ５を複数の長板状体１２からなるものとする場合、一部又は全部の長板状体１２を例えばメッシュ状としたり、一部又は全部の長板状体１２の一端又は両端を分岐、屈曲あるいは湾曲させたりしてもよい。
【００３６】
植物生育用のスペース１０に対して孔縁部位８の周方向に隣接するように構成された押圧部位９を有するワッシャ５としては、図４〜図７に示すものや、図７では孔縁部位８から八方向に延びる押圧部位９が一方向のみに延びるように構成されたもの等を挙げることができる。
【００３７】
上記実施形態では、シート３の裏面に種子１を装着しているが、これに限らず、例えば、ワッシャ５の片面に少なくとも種子１を装着し、その片面が緑化対象面側（下側）を向くようにワッシャ５を配置するようにしてもよい。このように、ワッシャ５の緑化対象面側に種子１を装着することで、確実に種子１が（シート３等を介して）地面に密着することとなり、蟻による種子１の持ち去りを防ぎながら蟻散布植物を健全に生育させる事が可能となる。そして、ワッシャ５が例えば図２に示すようにメッシュ状であれば蟻散布植物はメッシュの隙間から生育し、ワッシャ５が図６に示すようにメッシュ状ではない場合でもワッシャ５の縁から生育することになる。
【００３８】
ここで、上述した従来周知の円形のつば状のワッシャ１３（図９参照）を用いる場合、このワッシャ１３に覆われ、ワッシャ１３の外周１３ａまでの距離ｄが５ｍｍ超となる範囲Ａ１では植物の発芽生育が不能となる。一方、このワッシャ１３に覆われる範囲Ａであっても、ワッシャ１３の外周１３ａまでの距離ｄが５ｍｍ以内となる範囲Ａ２では、植物の発芽生育が可能である。同様に、上記した種々のワッシャ５の押圧部位９に覆われる範囲であっても、押圧部位９の輪郭線（あるいは植物生育用スペース１０）までの距離（最短距離）が５ｍｍ以内となる範囲では、植物の発芽生育が可能となる。そして、例えば図２に示すようにメッシュ状をしたワッシャ５を用いる場合、このワッシャ５の押圧部位９に覆われる範囲は全て、押圧部位９の輪郭線までの距離が５ｍｍ以内となり、また、そうなるようにワッシャ５を構成するのは非常に容易である。このことは、図３〜図５、図７、図８に示すようなワッシャ５についても同様である。また、図６に示すように長板状体１２によって構成されるワッシャ５を用いる場合でも、この長板状体１２の幅ｗ（図６参照）を１０ｍｍとすれば、このワッシャ５の押圧部位９に覆われる範囲は全て、押圧部位９の輪郭線までの距離が５ｍｍ以内となる。
【００３９】
すなわち、上記各ワッシャ５の押圧部位９は、押圧部位９によって覆われる全ての範囲について、押圧部位９の輪郭線（あるいは植物生育用スペース１０）までの（最短）距離を所定値以内に収めつつ、押圧部位９を孔縁部位８から離れる方向に理論上際限なく広げることのできる形状を有しているので、ワッシャ５の押圧部位９に覆われる全範囲について、押圧部位９の輪郭線までの距離が５ｍｍ以内となるように押圧部位９を構成することができる。そして、このように構成することが種子１の発芽率の向上を図る上で好ましいが、必ずしもこのように構成しなければならないわけではない。
【００４０】
また、上述のようにワッシャ５の片面に種子１を装着する場合、このワッシャ５の片面には、種子１以外に、肥料や各種土壌改良材を装着することもできる。そして、ワッシャ５に対する種子１等の装着は、例えば水溶性接着剤を用いて直接または薄綿等を介して間接的に接着する、種子等を挟み込んだシートとワッシャ５とを貼り付ける、といった適宜の方法により行える。
【００４１】
上記実施形態ではまた、止め釘用孔７と各植物生育用スペース１０とは少なくとも孔縁部位８により隔絶されているが、これに限らず、例えば孔縁部位８の一部が欠落し、止め釘用孔７と植物生育用スペース１０の一つとがその欠落部を介して連通していてもよい。
【００４２】
尚、本実施形態の説明中や説明後に述べた変形例どうしを適宜組み合わせてもよいことはいうまでもない。
【符号の説明】
【００４３】
１    蟻散布種子
２    ネット
３    シート
４    植生体
５    ワッシャ
６    止め釘
７    止め釘用孔
８    孔縁部位
９    押圧部位
１０    スペース
１１    穴
１２    長板状体
【図１】
2013085537.tif 000003
【図２】
2013085537.tif 000004
【図３】
2013085537.tif 000005
【図４】
2013085537.tif 000006
【図５】
2013085537.tif 000007
【図６】
2013085537.tif 000008
【図７】
2013085537.tif 000009
【図８】
2013085537.tif 000010
【図９】
2013085537.tif 000011